(57)【要約】【課題】ユーザーが操作する際に、ユーザーの操作要求に対応する設定項目の推奨値を表示することにより、ユーザーの負担を軽減することができるリモコン装置及びこれを使用した空気調和機を提供する。【解決手段】空気調和機本体を運転操作するリモコン装置であって、空気調和機本体の運転状態と、複数の運転設定項目の設定操作をするための設定画面を表示する表示部２３と、各運転設定項目の選択を行う選択キー及び決定を行う決定キーを有する操作部２２と、リモコン装置の周囲温度を検出する温度検出部２６と、運転設定項目毎に操作部による設定変更の内容と変更時の温度検出部２６で検出した温度を操作履歴として記憶し、前記操作履歴に基づいて設定推奨値を表示させる制御部２１と、を備えている。【選択図】図１
2018169101.tif 000002
【特許請求の範囲】
【請求項１】
空気調和機本体を運転操作するリモコン装置であって、
前記空気調和機本体の運転状態と、複数の運転設定項目の設定操作をするための設定画面を表示する表示部と、
前記各運転設定項目の選択を行う選択キー及び前記設定操作で選択された項目や値を確定する決定キーを有する操作部と、
これら各部を制御する制御部と、を備え、
前記制御部は、前記運転設定項目毎に前記操作部による設定変更の内容を操作履歴として記憶し、前記設定画面を選択された時、前記操作履歴に基づいてユーザーが設定変更する設定推奨値を表示させることを特徴とするリモコン装置。
【請求項２】
時刻を計時する計時部をさらに備え、
前記制御部は、前記操作履歴に前記設定変更の内容と共に前記設定変更を行なった時刻を記憶し、現在の時刻が前記記憶した時刻を含む所定範囲以内になった時、記憶した前記時刻と対応する前記設定変更の内容を前記設定推奨値とすることを特徴とする請求項１に記載のリモコン装置。
【請求項３】
前記制御部は、前記設定推奨値を前記表示部に表示している状態で、前記操作部の前記決定キーが押下されたときに、運転状態を当該設定推奨値に変更することを特徴とする請求項１または２に記載のリモコン装置。
【請求項４】
前記制御部は、前記設定推奨値を現在設定されている設定温度と前記操作履歴に記憶されている設定温度との乖離度で表示することを特徴とする請求項１乃至請求項３の何れか一項に記載のリモコン装置。
【請求項５】
前記操作部は、複数の設定画面を切換えるモード移行キーをさらに備え、
前記制御部は、前記表示部に１つの設定画面が表示されている状態で、前記モード移行キーが押下されたときに、他の設定画面に切換え、該当する設定画面の運転設定項目の設定求推奨値を表示することを特徴とする請求項１乃至請求項４の何れか一項に記載のリモコン装置。
【請求項６】
請求項１乃至請求項５の何れか一項に記載のリモコン装置を備えた空気調和機。
【発明の詳細な説明】
【技術分野】
【０００１】
本発明は、空気調和機本体の運転操作を行うリモコン装置及びこれを備えた空気調和機に関する。
【背景技術】
【０００２】
近年、空気調和機は高機能化により、リモコン装置によって様々な設定を行う必要がある。例えば、従来から搭載されている運転開始／停止キーや運転モード選択キー、風量調節キー等といった運転設定項目を設定するキーに加えて、集塵フィルターの自動清掃、マイナスイオンやオゾンを利用した室内機内部の脱臭・清掃等といった搭載された機能に関する設定を行うキーを設ける必要がある。しかし、操作キーに加えて運転状況や設定情報を表示する表示部を設ける必要があるリモコン装置では、操作キーを設けるスペースに限りがあり、全ての運転設定項目や新機能に対応する設定項目に対応する操作キーを設けることができない。
【０００３】
そこで、リモコン装置に設ける操作キーの数を減らすために、運転設定項目をメニュー化して階層構造に構築する方法が用いられる。このメニュー方式を用いたリモコン装置には、ドットマトリクスタイプの液晶パネルによって表示を自由に変えることができる表示部が備えられており、設定が必要な運転設定項目のメニューをこの表示部に表示させ、その中から一つの運転設定項目を選択すれば下の階層に進んで選択した運転項目のより詳細な設定メニューが表示部に表示される、というように選択をする度に、より下の階層へと操作を進めていくこととなる。
【０００４】
ただし、このメニュー方式は、操作するキーの回数が多くなり、ユーザーに負担がかかるという問題がある。
【０００５】
そこで、操作するキーの回数を軽減するために、操作履歴より使用頻度の高い運転設定項目を自動的に表示部のショートカットメニューに設定できるリモコン装置が提案されている（例えば、特許文献１参照）。
【先行技術文献】
【特許文献】
【０００６】
【特許文献１】特開２０１６−１１５２２４号公報
【発明の概要】
【発明が解決しようとする課題】
【０００７】
しかしながら、特許文献１に記載された先行技術では、使用頻度の高い運転設定項目を選択することは容易であるが、その後の設定画面では従来と変わらずに、例えば温度設定の場合、希望する設定温度に変更する操作をしなければならず、まだ、ユーザーに負担が掛かるという問題が残っている。
【０００８】
そこで、本発明は上記先行技術の問題に着目してなされたものであり、ユーザーが操作する際に、ユーザーの操作要求に対応する設定項目の推奨値を表示することにより、ユーザーの負担を軽減することができるリモコン装置及びこれを使用した空気調和機を提供することを目的としている。
【課題を解決するための手段】
【０００９】
本発明の一態様に係るリモコン装置は、空気調和機本体を運転操作するリモコン装置であって、前記空気調和機本体の運転状態と、複数の運転設定項目の設定操作をするための設定画面を表示する表示部と、前記各運転設定項目の選択を行う選択キー及び前記設定操作で選択された項目や値を確定する決定キーを有する操作部と、これら各部を制御する制御部とを備え、前記制御部は、前記運転設定項目毎に前記操作部による設定変更の内容を操作履歴として記憶し、前記設定画面が選択された時、前記操作履歴に基づいてユーザーが設定変更する設定推奨値を表示させることを特徴とする。
【００１０】
また、本発明に係る空気調和機は、上述したリモコン装置を備えている。
【発明の効果】
【００１１】
本発明の一態様によれば、設定変更の内容と変更時の温度検出部で検出した温度を操作履歴として記憶し、操作履歴に基づいて表示部の設定画面にユーザーが設定変更する可能性の高い設定推奨値を表示することで、ユーザーのキー操作を先取りすることができ、従来のように設定値の変更操作を行わなくてもよいため、操作回数を減らすことでユーザーの負担を軽減することが可能なリモコン装置を提供することができる。
【００１２】
そして、上記リモコン装置を使用して空気調和機本体を運転操作することにより、運転操作についてユーザーの負担を軽減することが可能な空気調和機を提供することができる。
【図面の簡単な説明】
【００１３】
【図１】本発明の第１実施形態に係る空気調和機の構成例を示す概略構成図である。
【図２】リモコン装置を示す正面図である。
【図３】リモコン装置の具体的構成を示すブロック図である。
【図４】リモコン装置の制御部で実行する表示制御処理手順の一例を示すフローチャートである。
【図５】リモコン装置で表示するメニュー表示画面と運転設定項目を温度とした場合の項目設定画面とを示す図である。
【図６】リモコン装置でモード移行を行う際の項目設定画面を示す図である。
【図７】メニュー表示から運転設定項目を設定する場合の説明図である。
【図８】モード移行時の表示例を示す図である。
【図９】操作履歴管理テーブルの一例を示す図である。
【発明を実施するための形態】
【００１４】
次に、図面を参照して、本発明の一実施形態について説明する。以下の図面の記載において、同一又は類似の部分には同一又は類似の符号を付している。但し、図面は模式的なものであり、現実のものとは異なることに留意すべきである。したがって、具体的な構成部品については以下の説明を参酌して判断すべきものである。
【００１５】
また、以下に示す実施形態は、本発明の技術的思想を具体化するための装置や方法を例示するものであって、本発明の技術的思想は、構成部品の形状、構造、配置等を下記のものに特定するものでない。本発明の技術的思想は、特許請求の範囲に記載された請求項が規定する技術的範囲内において、種々の変更を加えることができる。
【００１６】
以下の詳細な説明では、本発明の一実施形態の完全な理解を提供するように多くの特定の細部について記載される。しかしながら、かかる特定の細部がなくても１つ以上の実施態様が実施できることは明らかであろう。他にも、図面を簡潔にするために、周知の構造及び装置が略図で示されている。
【００１７】
以下に、本発明の一実施形態に係る空気調和機について説明する。
【００１８】
図１に示すように、空気調和機１は、室内に配置された横長の略直方体形状を有する空気調和機本体としての室内機１０と、室内機１０と２本の冷媒配管４０で接続され屋外に配置された室外機３０と、室内機１０を操作するリモコン装置２０とを備えている。
【００１９】
リモコン装置２０の操作により空気調和機１が運転を開始すると、冷媒配管４０を介して室内機１０と室外機３０との間で冷媒が循環し、室内機１０において室内空気が冷媒により加熱あるいは冷却される。これにより、室内の暖房あるいは冷房が行われる。
【００２０】
図２に示すようにリモコン装置２０は、略直方体形状に形成された筐体を有し、この筐体の表面には、ユーザーの操作を受け付ける操作部２２と、運転情報やユーザーがリモコン装置２０を操作する際の項目設定画面等を表示する表示部２３とを備えている。
【００２１】
また、操作部２２は、リモコン装置２０の筐体表面下側に配置されており、十字キー２２ａ、メニューキー２２ｂ、戻るキー２２ｃ、運転開始キー２２ｄ及び運転停止キー２２ｅを備えている。
【００２２】
また、十字キー２２ａは、十字キー２２ａの上下に配置された選択キー２２ｆと、十字キー２２ａの左右に配置されたモード移行キー２２ｇと、十字キー２２ａの中央部に配置された決定キー２２ｈとを備えている。
選択キー２２ｆは、表示部２３に表示される項目設定画面において設定項目の数値を増減させたり、上下にカーソルを移動させたりして数値又は設定項目を選択する操作時に使用される。
モード移行キー２２ｇは、表示部２３に表示されるモードを選択するカーソル２３ａを左右に移行させる操作時に使用される。
決定キー２２ｈは、選択した設定値や設定項目を決定するための操作時に使用される。
【００２３】
また、選択キー２２ｆは、例えば図５（ｃ）に示すように設定温度２８．０℃が表示されている状態で、上向き矢印を押下することにより、設定温度が図５（ｄ）に示すように、例えば０．５℃刻みで増加し、逆に下向き矢印を押下することにより、設定温度が例えば０．５℃刻みで減少する。設定温度の刻み幅は０．５℃に限らず、任意に決めることができる。
【００２４】
また、モード移行キー２２ｇは、例えば図６（ａ）〜図６（ｄ）に示すように、表示部２３の上方に選択可能なモード例えば「温度」、「運転モード」、「風向」、「風量」、「おやすみタイマー」等のうちの選択された３つ例えば「温度」、「風向」，「おやすみタイマー」が横並びにモード表示として表示されている場合に、その下側に表示されたカーソル２３ａを左右に移動させてモード移行を行う。すなわち、図６（ａ）に示すように「温度」にカーソル２３ａが位置して温度設定モードが選択されている状態では、表示部２３の中央部に円を表示し（以下表示円とする）、その表示円の内側に現在の設定温度２７．０℃と、この設定温度を上下に挟むように上向き矢印及び下向き矢印が表示され、さらに表示円の下側に「冷房」、「暖房」、「除湿」等の現在の運転モードが表示され、さらにその下側に設定温度が表示される。
【００２５】
この温度設定モードが選択されている状態で、モード移行キー２２ｇの右矢印キーを押下することにより、図６（ｂ）に示すように、カーソル２３ａが右方向に移動して風向設定モードが選択される。この風向設定モードでは、中央の表示円の内側に「風向」に関する吹出方向の表示と、この表示を上下に挟むように上向き矢印及び下向き矢印が表示され、さらに表示円の下側に現在の運転モードと設定温度が表示される。
【００２６】
この風向設定モードが選択されている状態で、モード移行キー２２ｇの右矢印キーを押下することにより、図６（ｃ）に示すように、カーソル２３ａが右方向に移動しておやすみタイマー設定モードが選択される。このおやすみタイマー設定モードでは、中央の表示円の内側に設定時間が表示され、この設定時間を上下で挟むように上向き矢印及び下向き矢印が表示され、さらに表示円の下側に現在の運転モード及び設定温度が表示される。
【００２７】
なお、モード表示は、例えば初期設定時に、表示したい項目を選択して配置するか、または操作頻度を記憶して、操作頻度の多い上位３項目を選択し、選択した項目を左から操作頻度の多い順に配置する。この場合、操作頻度は、該当時刻又は該当時刻を含む所定幅の時間帯で最も操作頻度が多い上位３項目を表示するようにしてもよい。
【００２８】
図２においてメニューキー２２ｂは、押下することにより、表示部２３に、図５（ａ）に示すように、空気調和機１のハイパワー切替え、気流、風量、風向、運転モード、フィルター、タイマー、機能等を個別に選択して設定する運転設定項目メニュー画面２３ｂを表示させる。これら運転設定項目を選択キー２２ｆ及びモード移行キー２２ｇの何れかを押下して選択し、決定キー２２ｈを押下することにより、各項目に対応した項目設定画面が表示される。
【００２９】
また、戻るキー２２ｃは、表示部２３の現在の表示状態を１つ前の表示状態（上位の階層表示）に戻す。運転開始キー２２ｄは、押下することにより、空気調和機１の運転を開始させる。運転停止キー２２ｅは、押下することにより、空気調和機１の運転を停止させる。
【００３０】
また、表示部２３は、ドットマトリクスタイプの液晶パネルで構成されている。この表示部２３にはメニューキー２２ｂを押下することにより、階層構造に構築された各種設定画面が表示される。すなわち、図７（ａ）に示すように、現在の運転状態が表示されている状態で、メニューキー２２ｂを押下することにより、図７（ｂ）に示すように、設定メニュー画面ｍｐが表示され、この設定メニュー画面ｍｐから「風向」を選択して決定キー２２ｈを押下することにより、図７（ｃ）に示すように、風向設定画面ｗｐが表示され、この風向設定画面で選択キー２２ｆの上矢印キー又は下矢印キーを押下することにより、リモコン装置２０は、風向を上方向又は下方向に変更させる信号を室内機１０に送信する。
【００３１】
この他、表示部２３には図６（ｄ）に示すように、設定推奨画面５３が表示される。設定推奨画面５３とは、例えば、温度設定画面が選択されている場合には、現在の設定温度を表示する現在温度表示部５１と、その下側に設定推奨値２６℃との乖離度「−１℃」を白抜きで表示する推奨温度表示部５２とで構成される。なお、設定推奨値は後述するように操作履歴情報と時刻情報とに基づいて決定される。
【００３２】
また、図３に示すように、リモコン装置２０は、運転情報やユーザーがリモコン装置２０を操作する際のプログラム、操作履歴等を記憶する記憶部２４と、リモコン装置２０を操作する操作部２２と、操作部２２で操作した指示内容に応じた信号を送信する送信部２５と、リモコン装置２０の周囲の温度を検出する温度検出部２６と、時間を計時する計時部２７と、ユーザーの操作に応じた室内機１０への運転指示や表示部２３に表示する画像データの表示制御を行う制御部２１とを備えている。
【００３３】
制御部２１には、操作部２２、表示部２３、記憶部２４、送信部２５、計時部２７及び温度検出部２６が電気的に接続されている。この制御部２１は、表示部２３に前述した項目設定画面を表示している状態で設定変更が行われたときに、計時部２７で計時した日付及び時刻と、温度検出部２６で検出した室温と、さらに、操作項目、設定温度、風量、風向上下及び風向左右などの運転状態を図９に示す操作履歴管理テーブルに時系列順に記憶する。なお、操作履歴管理テーブルは記憶部２４に記憶されている。
【００３４】
例えば図９の操作履歴に基づいたユーザーの操作傾向において、
（１）その日最初の運転開始時に設定温度が２６．０℃でなければ設定温度を２６．０℃に変更する。
（２）設定温度と室温との差が＋４℃以上であればハイパワー運転を行う。
（３）毎日１１時前後に風向上下と風向左右の設定値を２に変更し、１３時半頃に風向上下の設定値を１に、また、風向左右の設定値を４にする。
（４）毎日１６時前後に設定温度を２７．０℃に変更する。
（５）毎日２３時半ごろにおやすみタイマーをセットする。
などの操作の発生条件（例えば時刻や、設定温度と室温との差など）と、その条件が発生した場合の操作傾向がある。
リモコン装置２０の制御部２１はこの操作傾向の発生条件に対して、現在の時刻や、室温と設定温度などの現実の条件が一致した時、この発生条件と対応する操作傾向に従った設定項目の値を設定推奨値として表示する。
ユーザーはこの設定推奨値で問題なければ決定キー２２ｈを押下し、意図しない値であれば任意の操作を行なう。
【００３５】
以上説明した設定推奨値を表示する機能を実現するため制御部２１は、図４に示す表示制御処理を実行する。
【００３６】
制御部２１は運転開始キー２２ｄの押下を検出すると、この表示制御処理の実行を開始する。制御部２１は先ず、現在の運転状態を表示する（ステップＳ１）。この現在の運転状態は、図２に示されているように、前回運転終了時の運転モード例えば「冷房」モードと設定温度「２７℃」とが初期表示として表示される。これと同時に、空気調和機１では、設定温度「２７℃」の「冷房」モードで運転が開始される。
【００３７】
この状態で、制御部２１は、メニューキー２２ｂ、又はモード移行キー２２ｇが押下されたことを検知すると、設定画面が選択されたか否かを判定する（ステップＳ２）。制御部２１は、このステップＳ２の判定結果が、「設定画面が選択された」であれば（ステップＳ２−Ｙ）、操作履歴より該当する選択画面における設定推奨値が存在するかを判定する（ステップＳ３）。制御部２１は、設定推奨値がないとき（ステップＳ３-Ｎ）にはステップＳ７に移行し、設定推奨値があるとき（ステップＳ３-Ｙ）には、設定推奨値を表示する設定推奨画面を表示する（ステップＳ４）。
【００３８】
次いで制御部２１は、決定キー２２ｈが押下されたか否かを判定し（ステップＳ５）、決定キー２２ｈが押下されたとき（ステップＳ５−Ｙ）にはステップＳ６に移行し、決定キー２２ｈが押下されていないとき（ステップＳ５−Ｎ）には選択キー２２ｆが押下されたか否かを判定する（ステップＳ７）。制御部２１は、この判定結果が、選択キー２２ｆが押下されていないとき（ステップＳ７−Ｎ）にはステップＳ１に戻り、選択キー２２ｆが押下されているとき（ステップＳ７−Ｙ）には、ユーザー操作に対応する状態表示を変化させると共に、ユーザーが操作により要求した設定値である操作要求値を表示する表示変更処理を行い（ステップＳ８）、次いでステップＳ６に移行する。
【００３９】
次に制御部２１は、ステップＳ６で設定変更処理を実行する。制御部２１は、ステップＳ５の判定結果が、決定キー２２ｈが押下されているものであるとき（ステップＳ５−Ｙ）には、設定推奨画面で設定されている設定推奨値をそのまま室内機１０に送信し（ステップＳ６）、次いで設定推奨値を現在の運転設定値として運転状態表示画面に表示する（ステップＳ９）。また、制御部２１はステップＳ８の表示変更処理によって入力された操作要求値を室内機１０に送信し、次いで操作要求値を現在の運転設定値として運転状態表示画面に表示する（ステップＳ９）。
【００４０】
次に制御部２１は、運転停止キー２２ｅが押下されたか否かを判定し（ステップＳ１０）、運転停止キー２２ｅが押下されたとき（ステップＳ１０−Ｙ）には運転停止指令を室内機１０に送信して空気調和機１の運転を停止する。
【００４１】
制御部２１は、ステップＳ１０の判定結果が、運転停止キー２２ｅが押下されていないとき（ステップＳ１０−Ｎ）、ステップＳ１に戻る。
【００４２】
また、制御部２１は、前述したステップＳ２の判定結果が、メニューキー２２ｂ又はモード移行キー２２ｇで設定画面を選択していないときには、計時部２７から時刻情報を読込み（ステップＳ１１）、次いで読込んだ時刻情報に基づいて記憶部２４に記憶されている操作履歴情報を参照し（ステップＳ１２）、該当する時刻情報に設定推奨値となる操作履歴情報が存在するか否かを判定する（ステップＳ１３）。制御部２１は、この判定結果が該当する操作履歴情報が存在しない場合には前記ステップＳ２に戻り、該当する操作履歴情報が存在する場合には、表示部２３に設定推奨画面を表示し（ステップＳ１４）、次いで決定キー２２ｈが押下されたか否かを判定する（ステップＳ１５）。制御部２１は、この判定結果が、決定キー２２ｈが押下されていないとき（ステップＳ１５−Ｎ）にはステップＳ２に戻り、決定キー２２ｈが押下された（ステップＳ１５−Ｙ）ときにはステップＳ６に移行して、設定推奨値を設定値として設定し、室内機１０に送信してからステップＳ９に移行して表示部２３に変更後の設定値を表示する運転状態表示を行ってからステップＳ１０に移行する。
【００４３】
次に、上記実施形態の動作を説明する。
【００４４】
先ず、空気調和機１が運転を停止しており、リモコン装置２０の記憶部２４に、図９に示す操作履歴管理テーブルが記憶されているものとする。
【００４５】
この空気調和機１の運転停止状態で、リモコン装置２０の表示部２３には、リモコン装置のバッテリーの消耗を防止するために画面表示されないようになっている。
【００４６】
この運転停止状態で、リモコン装置２０の運転開始キー２２ｄを押下することにより、制御部２１は、図２に示すように設定温度２７．０℃及び運転モード「冷房」を表示し、また、制御部２１は送信部２５を介して運転開始指令を室内機１０に送信する。この室内機１０の制御部（図示せず）によって前回運転停止前の設定温度２７．０℃での冷房運転が開始される。
【００４７】
この運転開始初期状態で、ユーザーが例えば設定温度を変更するために、リモコン装置２０のモード移行キー２２ｇの左向き矢印を押下すると、制御部２１では、モード移行キー２２ｇの押下を検出して、設定モードを温度設定モードに変更し、温度設定画面を表示部に表示する。
【００４８】
このとき、記憶部２４に記憶されている図９に示す操作履歴管理テーブルのａ欄の操作履歴には運転開始時に設定温度を２６．０℃に設定変更したことが記憶されている。一方、現在の設定温度が２７．０℃であり、履歴に記憶されている設定温度よりも１℃高めとなっている。このため、制御部２１では、例えば図６（ｄ）に示すように、冷房運転開始時において操作履歴に記憶されている設定温度２６℃を設定推奨値として抽出し、この設定推奨値２６℃と現在の設定温度との差分を表す乖離度−１℃を算出し、この算出値を予測提案における設定推奨値として設定温度の下側に白抜きで表示する。このとき、設定推奨値の下側に操作案内「〔決定〕で実行」を表示する。
【００４９】
この予測提案における設定推奨値を確認したユーザーが決定キー２２ｈを押下すると、制御部２１は操作履歴管理テーブルから抽出した設定推奨値である設定温度２６℃を新たな設定温度として送信部２５を介して室内機１０に送信し、空気調和機１は、設定温度２６．０℃で冷房運転を行う。このように、設定推奨値をユーザーが決定した場合には、ユーザーが温度設定画面において設定温度入力の操作の手間を省くことができ、設定変更操作を容易に行うことができる。
【００５０】
ところが、図６（ｄ）に示す設定推奨画面５３が表示された状態で、予め定めた所定時間、例えば１０秒以内に決定キー２２ｈまたは、選択キー２２ｆが押下されないときは図６（ａ）に示す運転状態表示に復帰する。
【００５１】
また、所定時間以内に決定キー２２ｈが押下されずに選択キー２２ｆが押下された場合、制御部２１は選択キー２２ｆの上向き矢印又は下向き矢印が押下される毎に、設定温度を０．５℃刻みで変化させて表示する。このためユーザーは所望の設定温度に設定することができる。
【００５２】
また、図７（ａ）に示すように表示部２３に運転モードが表示されている場合、メニューキー２２ｂが押下されたとき、制御部２１は図７（ｂ）に示すメニュー画面を表示する。ユーザーはこのメニュー画面から操作したい項目を選択キー２２ｆ及びモード移行キー２２ｇの少なくとも一方を押下して風向を選択し、決定キーを押下することにより、制御部２１は図７（ｃ）に示すように、選択された項目に応じた項目設定画面を表示する。この場合も制御部２１は選択された風向項目設定画面に対応する設定推奨値が操作履歴管理テーブルに存在する場合、表示部２３に設定推奨値を含めた項目設定画面を表示する。したがって、ユーザーは設定推奨値を用いる場合には決定キー２２ｈを押下するだけでよく、所望の設定値を選択する場合には、従来通りに選択キー２２ｆで所望の設定値を決定する。
【００５３】
このように制御部２１は運転状態表示をしている時には、メニューキー２２ｂ又はモード移行キー２２ｇが押下される毎に、選択された項目設定画面に対応する設定推奨値が操作履歴管理テーブルに存在するか否かを確認し、設定推奨値が存在する場合には設定推奨値を表示する。従ってユーザーは、この設定推奨値を使用した設定変更を行うことができる。
【００５４】
また、制御部２１はメニューキー２２ｂ又はモード移行キー２２ｇが押下されない場合には、計時部２７で計時された時刻情報に基づいて記憶部２４に記憶されている操作履歴管理テーブルを参照し、該当する時刻又は該当時刻を含む所定範囲（例えば±１時間）以内の時間帯に操作履歴が存在する場合には、その操作履歴に対応する項目設定画面を、設定推奨値を含めて表示する。
【００５５】
このように、制御部２１は、時刻の経過に合わせた操作項目を設定推奨値とともに表示部２３に表示している。表示部２３はこの設定推奨値を記憶部２４に記憶された操作履歴管理テーブルに記憶された過去の操作履歴に基づいて選択しているので、表示部２３には、ユーザーの日頃の操作に対応する設定推奨画面が時刻毎に変化されて表示されることになり、ユーザーの操作要求を特別なキー操作を行うことなく、選択することが可能となる。
【００５６】
具体的には、図８に示すように、現在の設定温度を表示している状態（ａ０）から、ある時刻に到達したときに、制御部２１は風量を「強」に設定する操作履歴情報が記憶されている場合には、（ａ１）に示すように、風量を「強」に設定する設定推奨画面ｒｐを表示する。この表示状態で、そのまま選択キー２２ｆや決定キー２２ｈを押下することなく放置すると前述した所定時間経過後に、（ａ１１）に示すように、制御部２１は元の設定温度表示画面に復帰させ、（ａ１）の状態から決定キー２２ｈが押下されると、（ａ１２）に示すように、制御部２１は風量「強」の設定推奨値を室内機１０に送信する。さらに、（ａ１）の状態から選択キー２２ｆの上矢印キー又は下矢印キーが押下されると、（ａ１３）に示すように、制御部２１は風量を「中」、「弱」、「静」を順次表示し、ユーザーが所望の風量を選択した状態の風量を室内機１０に送信する。
【００５７】
さらに、現在の設定温度を表示している状態（ａ０）から、ある時刻に到達したときに、温度を「２７℃」に設定する操作履歴情報が記憶されている場合には、（ａ２）に示すように、制御部２１は設定温度２６℃と履歴温度２７℃との差で表される乖離度である「＋１℃」を設定推奨値として含む設定推奨画面ｒｐを表示する。この表示状態で、そのまま選択キー２２ｆや決定キー２２ｈを押下することなく放置すると前述した所定時間経過後に、制御部２１は（ａ２１）に示すように元の設定温度表示画面を表示し、（ａ２）の状態から決定キー２２ｈが押下されると、（ａ２２）に示すように、設定温度「２７℃」の設定推奨値を室内機１０に送信する。さらに、（ａ２）の状態から選択キー２２ｆの上矢印キー又は下矢印キーが押下されると、制御部２１は（ａ２３）に示すように、温度を「２７℃」から増加又は減少させて、所望の設定温度を室内機１０に送信する。
【００５８】
このように、上記実施形態では、過去の操作履歴を記憶部２４に設けた履歴管理テーブルに日付を含む時刻情報とともに記憶するので、ユーザーの日頃の操作に合わせて設定推奨値を設定することができる。したがって、少ないキー数で、ユーザーの操作要求に合わせた項目表示を行うことができ、ユーザーのキー操作をより簡略化することができ、ユーザーの負担をより軽減することができる。
【００５９】
また、操作履歴に室温等の周囲環境情報を含めて記憶することにより、操作履歴だけではなく、周囲環境情報を含めて推奨操作を設定することができる。すなわち、設定温度と室内温度との温度差がある温度以上（図９の履歴管理テーブルのｂ欄の操作履歴での４℃以上）であるときにハイパワーモードが設定されることを学習することができ、設定温度と室内温度との温度差が４℃以上となって、メニューキー２２ｂ又はモード移行キー２２ｇが押下されたときに、ハイパワーモードを設定する設定画面を表示部２３に直接表示することにより、ユーザーのハイパワーモード設定処理の負担を軽減することができる。
【００６０】
なお、上記実施形態では、設定推奨値を設定温度と設定推奨値との差で表される乖離度で表示する場合について説明したが、これに限定されるものではなく、乖離度の表示でなくそのまま設定推奨値として表示するようにしてもよい。
【００６１】
また、上記実施形態では、表示部２３にモード移行用の複数の項目を並列に表示し、モード移行キー２２ｇによってカーソル２３ａを移動させることにより、モードを選択する場合について説明したが、カーソル２３ａを省略して、モード移行キー２２ｇによって項目を移動させたときに、該当する項目が拡大表示されるようにすることもできる。また、モード移行用の複数の項目の表示を省略するようにしてもよい。
【００６２】
また、リモコン装置２０としては、空気調和機１に専用のリモコン装置を適用する場合に限らず、スマートフォン等の携帯端末を室内機１０と通信接続することにより、情報の授受を行って運転操作を行うようにしてもよい。
【００６３】
また、上記実施形態では、十字キー２２ａを使用した場合について説明したが、これに限定されるものではなく、十字キー２２ａに代えて４つの方向選択キーと１つの決定キーとを設けるようにしてもよい。
【００６４】
以上、特定の実施形態を参照して本発明を説明したが、これらの説明によって発明を限定することを意図するものではない。本発明の説明を参照することにより、当業者には、開示された実施形態の種々の変形例とともに本発明の別の実施形態も明らかである。したがって、特許請求の範囲は、本発明の範囲及び要旨に含まれるこれらの変形例又は実施形態も網羅すると解すべきである。
【符号の説明】
【００６５】
１…空気調和機、１０…室内機、２０…リモコン装置、２１…制御部、２２…操作部、２２ａ…十字キー、２２ｂ…メニューキー、２２ｃ…戻るキー、２２ｄ…運転開始キー、２２ｅ…運転停止キー、２２ｆ…選択キー、２２ｇ…モード移行キー、２２ｈ…決定キー、２３…表示部、２３ａ…カーソル、２３ｂ…メニュー画面、２４…記憶部、２５…送信部、２６…温度検出部、２７…計時部、３０…室外機、４０…冷媒配管、５１…現在温度表示部、５２…推奨温度表示部、５３…設定推奨画面
【図１】
2018169101.tif 000003
【図２】
2018169101.tif 000004
【図３】
2018169101.tif 000005
【図４】
2018169101.tif 000006
【図５】
2018169101.tif 000007
【図６】
2018169101.tif 000008
【図７】
2018169101.tif 000009
【図８】
2018169101.tif 000010
【図９】
2018169101.tif 000011